(57)【要約】  【課題】軽量化が容易な液晶表示装置の動画評価セットを提供する。  【解決手段】信号源24に接続したＰＣカード26のデータ変換回路基板27上に電源回路29を搭載する。液晶モジュール22の各発光ダイオードを点灯させるために必要な電力を電源回路29にて信号源24からＰＣカード26を介してＬＥＤ点灯回路基板51へと供給する。液晶モジュール22の各発光ダイオードを点灯させる電力を外部からＬＥＤ点灯回路基板51へと供給させるＡＤ／ＤＣコンバータ回路などの比較的重量のある外部電源が不要となる。動画評価セット21をより軽量化でき、携帯性を大幅に向上できる。  【選択図】図１
2005128477.tif 000002
【特許請求の範囲】
【請求項１】
インターフェイス信号および電力を出力する信号源と、
この信号源に接続されたカードバスと、
このカードバスを介して前記信号源から出力される電力が入力する電源回路を備え、前記カードバスを介して信号源から出力されるインターフェイス信号を液晶表示装置に必要なインターフェイス信号に変換するデータ変換回路と、
このデータ変換回路にて変換されたインターフェイス信号を前記液晶表示装置に対応させて変換してこの液晶表示装置に画像を表示させる装置別回路と、
前記データ変換回路の電源回路へと入力した電力を、前記液晶表示装置の光源を点灯させる点灯用電圧に変換して前記液晶表示装置へと供給する光源点灯回路と
を具備したことを特徴とした液晶表示装置の評価装置。
【請求項２】
データ変換回路のピッチを装置別回路のピッチに変換するピッチ変換回路を具備した
ことを特徴とした請求項１記載の液晶表示装置の評価装置。
【請求項３】
装置別回路は、装置別回路基板に設けられ、
光源点灯回路は、光源点灯回路基板に設けられ、
ピッチ変換回路は、ピッチ変換回路基板に設けられ、前記装置別回路基板、光源点灯回路基板および液晶表示装置の少なくともいずれかに重ねられて配設されている
ことを特徴とした請求項２記載の液晶表示装置の評価装置。
【請求項４】
光源点灯回路は、液晶表示装置の光源の接続が直列および並列のいずれでも、この光源が点灯可能である
ことを特徴とした請求項１ないし３いずれか記載の液晶表示装置の評価装置。
【請求項５】
液晶表示装置は、複数の液晶表示部を有し、
データ変換回路は、カードバスを介して信号源から出力されるインターフェイス信号を前記複数の液晶表示部の少なくともいずれか一方に必要なインターフェイス信号に変換し、
装置別回路は、切り替えによって前記複数の液晶表示部の少なくともいずれかに画像を表示させる切替手段を備え、前記データ変換回路にて変換されたインターフェイス信号を前記複数の液晶表示部に対応させて変換し、
光源点灯回路は、前記データ変換回路の電源回路へと入力した電力を、前記複数の液晶表示部それぞれの光源を点灯させる点灯用電圧に変換して前記複数の液晶表示部へと供給する
ことを特徴とした請求項１ないし４いずれか記載の液晶表示装置の評価装置。
【請求項６】
複数の液晶表示部は、重ねられて配設されている
ことを特徴とした請求項５記載の液晶表示装置の評価装置。
【請求項７】
装置別回路は、データ変換回路にて変換されたインターフェイス信号のうちのチップセレクト信号のみを複数の液晶表示部に対応させて変換する
ことを特徴とした請求項５または６記載の液晶表示装置の評価装置。
【発明の詳細な説明】
【技術分野】
【０００１】
本発明は、液晶表示装置に表示される画像を評価する液晶表示装置の評価装置に関する。
【背景技術】
【０００２】
従来、この種の液晶表示装置としての液晶モジュールの評価装置としての動画評価セット１は、例えば図１５に示すように、信号源２としてプリンタポート出力を有するパーソナルコンピュータ(ＰＣ)が用いられている。そして、この信号源２は、リボンケーブル３を介してデータ変換回路基板４に接続されている。また、このデータ変換回路基板４は、リボンケーブル５を介して製品別回路基板６に接続されている。さらに、この製品別回路基板６は、フレキシブルフラットケーブル(Flexible flat cable:ＦＦＣ)７を介して携帯電話機用の液晶表示装置である液晶ディスプレイ(Liquid Crystal Display:ＬＣＤ)モジュールとしての液晶モジュール８に接続されている。
【０００３】
そして、データ変換回路基板４には、ＦＰＧＡ(Field Programmable Gate Array)11および発振回路12が実装されている。このＦＰＧＡ11は、信号源２から出力されるプリンタポート出力デジタル信号を液晶モジュール８のＣＰＵ(Central Processing Unit)インターフェイス信号に変換する回路機能を有している。また、発振回路12は、ＦＰＧＡ11の内部回路を同期させるためのクロック信号を生成する。
【０００４】
さらに、製品別回路基板６には、点灯回路13およびコネクタ14が実装されている。そして、この点灯回路13は、液晶モジュール８のバックライトの光源用の発光ダイオード(Light Emitting Diode:ＬＥＤ)を点灯させる。さらに、コネクタ14は、データ変換回路基板４のＦＰＧＡ11でＣＰＵインターフェイス信号に変換したデータを液晶モジュール８に入力できるようにパターンのピッチを変換させる。
【０００５】
また、製品別回路基板６の点灯回路13には、ＡＣ／ＤＣコンバータ回路15が接続されている。このＡＣ／ＤＣコンバータ回路15は、家庭用コンセントから必要な電力を確保して、製品別回路基板６に実装された点灯回路13に約３００ｍＷの電力を供給する。
【０００６】
ところが、上記動画評価セット１では、信号源２からプリンタポート出力で映像信号を出力させているため、液晶モジュール８には静止画を表示させる転送スピードしかない。このため、カメラ付き携帯電話機のような１０から１５フレーム程度の動画映像を評価できない。
【０００７】
また、液晶モジュール８のバックライトとして用いている発光ダイオードの接続方式が直列接続あるいは並列接続によって、点灯回路13を設計変更する必要がある。このため、液晶モジュール８にＣＰＵインターフェイス信号を入力するためのフレキシブルフラットケーブル７のパターンピッチが変化するたびに、製品別回路基板６を設計変更しなければならず、膨大な設計費が必要である。
【０００８】
さらに、この製品別回路基板６に点灯回路13を配置したため、この点灯回路13に約３００ｍＷの電力を供給する必要があるが、信号源２のプリンタポート出力には、３００ｍＷ程度の電力を供給する能力がない。このため、ＡＣ／ＤＣコンバータ回路15が必要となるとともに、国内および海外に対応する外部電源が必要となるため、装置全体のサイズが大きくなり、携帯性に優れず、軽量化が容易ではない。
【０００９】
そこで、この種の液晶モジュールの動画評価セットとしては、ファイル系データ信号出入力用の第１のインターフェイス部と、カードバス信号出力用の第２のインターフェイス部とのそれぞれが信号源としての電子機器に設けられている。そして、この電子機器の第１のインターフェイス部には、ＦＤＤ、ＣＤ−ＲＯＭ、ＤＶＤあるいはＬＳ１２０などの情報記憶装置や、増設バッテリ、ＡＣアダプタ、ＵＳＢコネクタなどが実施された拡張ユニットが取り付けられる。さらに、この電子機器の第２のインターフェイス部には、ＰＣカード、通信装置、プリンタなどの印刷装置、スキャナなどの情報読取装置などが取り付けられる構成が知られている(例えば、特許文献１参照。)。
【特許文献１】特開２００１−９２５６４号公報（第７−１１頁、図１および図２）
【発明の開示】
【発明が解決しようとする課題】
【００１０】
しかしながら、上記液晶モジュールの動画評価セットであっても、電子機器の第２のインターフェイス部から、液晶ディスプレイ点灯用の発光ダイオードなどの光源を点灯させる電力を出力させることができない。このため、これら光源を点灯させる電力を供給するために電子機器の第１のインターフェイス部に増設バッテリやＡＣアダプタなどを取り付けている。したがって、これら増設バッテリやＡＣアダプタは比較的重量があるから、軽量化が容易ではないという問題を有している。
【００１１】
本発明は、このような点に鑑みなされたもので、軽量化が容易な液晶表示装置の評価装置を提供することを目的とする。
【課題を解決するための手段】
【００１２】
本発明は、インターフェイス信号および電力を出力する信号源と、この信号源に接続されたカードバスと、このカードバスを介して前記信号源から出力される電力が入力する電源回路を備え、前記カードバスを介して信号源から出力されるインターフェイス信号を液晶表示装置に必要なインターフェイス信号に変換するデータ変換回路と、このデータ変換回路にて変換されたインターフェイス信号を前記液晶表示装置に対応させて変換してこの液晶表示装置に画像を表示させる装置別回路と、前記データ変換回路の電源回路へと入力した電力を、前記液晶表示装置の光源を点灯させる点灯用電圧に変換して前記液晶表示装置へと供給する光源点灯回路とを具備したものである。
【００１３】
そして、信号源からカードバスを介して出力されるインターフェイス信号をデータ変換回路にて液晶表示装置に必要なインターフェイス信号に変換する。このデータ変換回路にて変換されたインターフェイス信号を装置別回路にて液晶表示装置に対応させて変換してこの液晶表示装置に画像を表示させる。信号源からカードバスを介して出力される電力が電源回路に入力された後、この電源回路へと入力した電力を光源点灯回路にて液晶表示装置の光源を点灯させる点灯用電力に変換して液晶表示装置へと供給する。この結果、カードバスを介して信号源から液晶表示装置の光源を点灯させる電力を出力できる。したがって、液晶表示装置の光源を点灯させるための電力を外部から光源点灯回路へと供給させる回路が不要となるので、より軽量化できる。
【発明の効果】
【００１４】
本発明によれば、信号源からカードバスを介して出力され電源回路へと入力した電力を光源点灯回路にて液晶表示装置の光源を点灯させる点灯用電力に変換して液晶表示装置へと供給させたため、カードバスを介して信号源から液晶表示装置の光源を点灯させる電力を出力できるので、液晶表示装置の光源を点灯させるための電力を外部から光源点灯回路へと供給させる回路が不要となるから、より軽量化できる。
【発明を実施するための最良の形態】
【００１５】
以下、本発明の液晶表示装置の評価装置の第１の実施の形態の構成を図１、図２および図３を参照して説明する。
【００１６】
図１において、21は液晶表示装置の評価装置としての液晶モジュールの動画評価セットである。そして、この動画評価セット21は、評価対象である携帯電話機用の液晶表示装置としての液晶ディスプレイ(Liquid Crystal Display:ＬＣＤ)モジュールである液晶モジュール22に表示される動画を評価する装置である。
【００１７】
この液晶モジュール22は、第１の液晶表示部としてのメインモジュール22aを有している。このメインモジュール22aは、平面表示パネルとしての矩形平板状の液晶パネル23を備えている。この液晶パネル23の一主面である表面上には、図示しない複数の信号線と複数の走査線とのそれぞれが格子状に配線されている。さらに、これら複数の信号線および走査線にて形成された領域内には、これら信号線および走査線のそれぞれに接続されたスイッチ素子としての画素ＴＦＴ(Thin Film Transistor)である図示しない薄膜トランジスタが設けられている。したがって、この薄膜トランジスタは、液晶パネル23上にマトリクス状に形成されている。よって、この液晶パネル23は、一水平走査時間内に複数の信号線を順次選択し、映像信号を印加する方式が用いられている。
【００１８】
さらに、メインモジュール22aは、図２および図３に示すように、このメインモジュール22aの液晶パネル23の各薄膜トランジスタを駆動させるドライバであるソースドライバ23aおよびゲートドライバ23bが取り付けられている。これらソースドライバ23aおよびゲートドライバ23bは、液晶パネル23の表面の下側周縁に取り付けられている。また、この液晶パネル23の表面の下側の周縁には、図示しない電源ＩＣを取り付けることもできる。
【００１９】
そして、この液晶パネル23の表面の下側の周縁には、ソースドライバ23aおよびゲートドラバ23bを介して液晶パネル23に動画を表示させるフレキシブル回路基板である矩形平板状のドライバ回路23cの一側縁が接続されている。そして、このドライバ回路23cは、液晶パネル23に接続された側である一側縁を湾曲させることによって、この液晶パネル23の裏面に対向して配設されている。
【００２０】
また、動画評価セット21は、パーソナルコンピュータ(ＰＣ)などの信号源24を備えている。この信号源24は、液晶モジュール22の液晶パネル23の裏面側に対向して配設された面状光源としてのバックライト25に内蔵された光源としての図示しない光源用の発光ダイオード(Light Emitting Diode:ＬＥＤ)を点灯させる電力を出力させる。同時に、この信号源24は、液晶モジュール22を駆動させて動画や画像を表示させるデジタルインターフェイス信号を出力させる。
【００２１】
さらに、この信号源24には、カードバスが用いられたＰＣカード26が接続されている。ここで、このＰＣカード26とは、ＰＣＭＣＩＡ(Personal Computer Memory Card International Association)とＪＥＩＤＡ(日本電子工業振興協会)が共同で策定したノートパソコン向けの拡張カードの統一規格をいう。また、カードバスとは、ＰＣカード26で用いられるバス(データ伝送路)の規格をいう。
【００２２】
そして、この信号源24からは、ＰＣカード26を介して出力されたＰＣカードバス出力を用いてデジタルインターフェイス信号が取り出される。さらに、このＰＣカード26は、矩形平板状のデータ変換回路基板27を備えている。このデータ変換回路基板27には、図示しない発振回路が内蔵されたＦＰＧＡ(Field Programmable Gate Array)28と電源回路29とのそれぞれが実装されて設置されている。ここで、このデータ変換回路基板27は、ＦＰＧＡ28のみが変更されている。さらに、このＦＰＧＡ28には、信号源24からＰＣカードバス出力を用いて出力されたデジタルインターフェイス信号が入力される。
【００２３】
また、このＦＰＧＡ28は、信号源24から入力されたデジタルインターフェイス信号を、液晶モジュール22に必要なＣＰＵ(Central Processing Unit)インターフェイス信号に変換する回路機能を有している。また、このＦＰＧＡ28に内蔵された発振回路は、このＦＰＧＡ28の内部回路を同期させるためのクロック信号を生成する。そして、電源回路29には、信号源24からＰＣカードバス出力を用いて出力された電力が入力されて、この電力の電圧を、例えば３Ｖから５Ｖへと変換する。
【００２４】
さらに、データ変換回路基板27には、ＦＰＧＡ28および電源回路29のそれぞれに電気的に接続されたコネクタ31が実装されて取り付けられている。このコネクタ31は、スカジー(Small Computer System Interface:ＳＣＳＩ)ケーブル32を介して、矩形平板状のピッチ変換回路基板33上に取り付けられた入力側のＳＣＳＩコネクタであるコネクタ34に接続されている。ここで、このピッチ変換回路基板33には、ＦＰＧＡ28にて変換されたＣＰＵインターフェイス信号がスカジーケーブル32を介して送られて入力される。
【００２５】
さらに、このピッチ変換回路基板33上には、出力側のコネクタ35が取り付けられている。このコネクタ35には、０．５ｍｍピッチの第１のＦＦＣ(フレキシブルフラットケーブル:Flexible flat cable)36が接続されている。そして、ピッチ変換回路基板33は、スカジーケーブル32のピッチを、第１のＦＦＣ36のピッチ、すなわち０．５ｍｍピッチにピッチ変換する。
【００２６】
また、この第１のＦＦＣ36は、装置別回路基板としての矩形平板状のＬＣＤ製品別回路基板41上に設けられた入力側のコネクタ42に接続されている。ここで、このＬＣＤ製品別回路基板41には、ＣＰＵインターフェイス信号が第１のＦＦＣ36を介して送られて入力される。そして、このＬＣＤ製品別回路基板41上には、接続用のコネクタ43が設けられており、このコネクタ43には、液晶モジュール22に接続された第２のＦＦＣ44が接続されている。
【００２７】
したがって、ＬＣＤ製品別回路基板41は、ピッチ変換回路基板33から第１のＦＦＣ36を介して入力されたＣＰＵインターフェイス信号を、評価対象である液晶モジュール22の形式に対応させて変換させてから、コネクタ43および第２のＦＦＣ44を介して液晶モジュール22へと入力させて、この液晶モジュール22の液晶パネル23に画像、すなわち動画を表示させる信号を供給する。同時に、このＬＣＤ製品別回路基板41は、データ変換回路基板27の電源回路29にて電圧が変化された電力の一部である入力電力を、スカジーケーブル32、ピッチ変換回路基板33、第１のＦＦＣ36および第２のＦＦＣ44のそれぞれを介して液晶モジュール22へと入力させて、この液晶モジュール22の液晶パネル23を駆動させる。
【００２８】
さらに、このＬＣＤ製品別回路基板41上には、接続用のコネクタ43が設けられており、このコネクタ43は、入力側のコネクタ42と出力側のコネクタ45とのそれぞれに接続されている。さらに、このコネクタ43には、第３のＦＦＣ46が接続されている。この第３のＦＦＣ46は、光源点灯回路基板としての矩形平板状のＬＥＤ点灯回路基板51上に設けられたコネクタ52に接続されている。そして、このＬＥＤ点灯回路基板51上には、ＬＥＤ点灯回路53が実装されて配置されている。すなわち、このＬＥＤ点灯回路53には、データ変換回路基板27の電源回路29にて電圧が変換された電力が、スカジーケーブル32、ピッチ変換回路基板33、第１のＦＦＣ36および第３のＦＦＣ46のそれぞれを介して入力される。
【００２９】
そして、このＬＥＤ点灯回路53は、ＬＥＤ点灯用電源であり、このＬＥＤ点灯回路53へと入力した電力を液晶モジュール22の各発光ダイオードを点灯させて、これら各発光ダイオードにて構成されたバックライト25を点灯させるＬＥＤ点灯用電圧に変換する。さらに、このＬＥＤ点灯回路53は、このＬＥＤ点灯回路53にてＬＥＤ点灯用電圧に変換された電力が、第３のＦＦＣ46、ＬＣＤ製品別回路基板41および第２のＦＦＣ44を介して液晶モジュール22へと入力されて、この液晶モジュール22の各発光ダイオードを点灯させて、この液晶モジュール22に表示される画像、すなわち動画を視認可能にする機能を有している。
【００３０】
ここで、このＬＥＤ点灯回路53は、ＬＣＤ製品別回路基板41とは分離されている。さらに、このＬＥＤ点灯回路53は、液晶モジュール22の各発光ダイオードが直列に接続されている場合に、これら各発光ダイオードを点灯させる直列用の図示しない制御回路と、これら各発光ダイオードが並列に接続されている場合に、これら各発光ダイオードを点灯させる並列用の図示しない制御回路とのそれぞれを備えている。したがって、このＬＥＤ点灯回路53は、液晶モジュール22の各発光ダイオードの接続方式ごとに図示しない切換スイッチを切り換えて使用できるように構成されている。言い換えると、このＬＥＤ点灯回路53は、液晶モジュール22の各発光ダイオードの接続が直列および並列のいずれの場合であっても、これら各発光ダイオードが点灯可能である。
【００３１】
さらに、ＬＣＤ製品別回路基板41、このＬＣＤ製品別回路基板41上に設けられた各コネクタ42,43,45および第２のＦＦＣ44のそれぞれは、この第２のＦＦＣ44が接続される液晶モジュール22の製品にごとに設計し直して作り変えなければならない領域Ａである。
【００３２】
次に、上記第１の実施の形態の動作について説明する。
【００３３】
まず、信号源24からＰＣカード26によるＰＣカードバス出力を用いて取り出されたデジタルインターフェイス信号は、データ変換回路基板27のＦＰＧＡ28へと出力される。
【００３４】
このとき、このＦＰＧＡ28によって、信号源24から入力されたデジタルインターフェイス信号を、液晶モジュール22に必要なＣＰＵインターフェイス信号に変換する。同時に、このＦＰＧＡ28に内蔵された発振回路は、このＦＰＧＡ28の内部回路を同期させるためのクロック信号を生成する。
【００３５】
また、信号源24からＰＣカード26によるＰＣカードバス出力を用いて取り出された電力は、データ変換回路基板27の電源回路29へと出力される。このとき、この電源回路29によって、この電源回路29へと入力した電力の電圧が変換される。
【００３６】
次いで、ＦＰＧＡ28にて変換されたＣＰＵインターフェイス信号は、ピッチ変換回路基板33へと出力される。
【００３７】
このとき、このピッチ変換回路基板33によって、スカジーケーブル32のピッチを、第１のＦＦＣ36のピッチにピッチ変換する。
【００３８】
さらに、このピッチ変換回路基板33にてピッチ変換された後、ＣＰＵインターフェイス信号がＬＣＤ製品別回路基板41へと出力される。
【００３９】
このとき、このＬＣＤ製品別回路基板41によって、ピッチ変換回路基板33から入力されたＣＰＵインターフェイス信号が液晶モジュール22の形式に対応させて変換される。
【００４０】
次いで、このＬＣＤ製品別回路基板41にて変換されたＣＰＵインターフェイス信号は、液晶モジュール22へと送られて、この液晶モジュール22の液晶パネル23に動画を表示させる信号が供給される。
【００４１】
同時に、このＬＣＤ製品別回路基板41によって、データ変換回路基板27の電源回路29にて電圧が変化された電力の一部である入力電力が液晶モジュール22へと送られて、この液晶モジュール22の液晶パネル23を駆動させる。
【００４２】
さらに、データ変換回路基板27の電源回路29にて電圧が変化された残りの電力は、ＬＥＤ点灯回路基板51のＬＥＤ点灯回路53へと出力される。
【００４３】
このとき、このＬＥＤ点灯回路53によって、このＬＥＤ点灯回路53へと出力された電力が液晶モジュール22の各発光ダイオードを点灯させるＬＥＤ点灯用電圧に変換される。
【００４４】
この後、このＬＥＤ点灯回路53にてＬＥＤ点灯用電圧に変換された電力は、液晶モジュール22へと出力されて、この液晶モジュール22の各発光ダイオードを点灯させ、この液晶モジュール22に表示される動画を視認可能にする。
【００４５】
上述したように、上記第１の実施の形態によれば、信号源24に接続されたＰＣカード26のデータ変換回路基板27上に電源回路29を搭載させて、液晶モジュール22の各発光ダイオードを点灯させるために必要な電力を電源回路29にて信号源24からＰＣカード26を介してＬＥＤ点灯回路基板51へと供給させた。この結果、この液晶モジュール22の各発光ダイオードを点灯させるための電力を外部からＬＥＤ点灯回路基板51へと供給させるＡＤ／ＤＣコンバータ回路などの比較的重量のある外部電源を設ける必要がなくなり不要となる。よって、動画評価セット21をより軽量化でき、この動画評価セット21の携帯性を大幅に向上できる。
【００４６】
また、信号源24からＰＣカード26を介してＰＣカードバス出力を用いてデジタルインターフェイス信号をデータ変換回路基板27へと出力させた。この結果、このデジタルインターフェイス信号の転送スピードを大幅に向上できるとともに、ＬＣＤ製品別回路基板41に接続された液晶モジュール22に１５フレームから３０フレーム程度、すなわち最大３０フレームまで動画映像を表示させることができる。
【００４７】
さらに、ＬＣＤ製品別回路基板41とは別個に、ピッチ変換回路基板33およびＬＥＤ点灯回路基板51のそれぞれを分割させて構成して回路をブロック化し、このＬＣＤ製品別回路基板41を必要最低限の回路構成とした。このため、このＬＣＤ製品別回路基板41に第２のＦＦＣ44を介して接続される液晶モジュール22を変更させた際に設計変更しなければならない領域Ａが、ＬＣＤ製品別回路基板41および第２のＦＦＣ44のみとなる。この結果、液晶モジュール22ごとに設計変更しなければならない領域Ａを最低限に極力抑えることができるので、動画評価セット21の設計変更費を削減できる。
【００４８】
なお、図４に示す第２の実施の形態のように、ピッチ変換回路基板33を直方体の筐体としての収容ボックス61に収容させて、この収容ボックス61の上面上にＬＣＤ製品別回路基板41およびＬＥＤ点灯回路基板51および液晶モジュール22を搭載させ、第１のＦＦＣ36をＳ字状に湾曲させて、ピッチ変換回路基板33をＬＣＤ製品別回路基板41の下に重ね合わせて配設させてもよい。この場合、動画評価セット21を、例えば奥行き１００ｍｍ×幅１５０ｍｍ×高さ６５ｍｍの大きさに収めることができるから、この動画評価セット21をより小型化できる。
【００４９】
このとき、ＬＣＤ製品別回路基板41およびＬＥＤ点灯回路基板51のそれぞれは、収容ボックス61の上面の幅方向における一側に設けられている。さらに、これらＬＣＤ製品別回路基板41およびＬＥＤ点灯回路基板51のそれぞれは、収容ボックス61の上面の長手方向に沿って設けられている。一方、液晶モジュール22は、収容ボックス61の上面の幅方向における他側に設けられている。さらに、この液晶モジュール22は、収容ボックス61の上面におけるＬＣＤ製品別回路基板41の他側に設けられて、この収容ボックス61の長手方向に沿って設けられている。
【００５０】
ここで、ピッチ変換回路基板33を、収容ボックス61上のＬＥＤ点灯回路基板51あるいは液晶モジュール22の下に重ね合わせて配置させることもできる。この場合には、ピッチ変換回路基板33をＬＣＤ製品別回路基板41の下に重ね合わせて配設した場合と同様に、動画評価セット21をより小型化できる。
【００５１】
さらに、図５および図６に示す第３の実施の形態のように、液晶モジュール22をＬＣＤ製品別回路基板41に接続させる第２のＦＦＣ44あるいは、この第２のＦＦＣ44の代わりとして接続される図示しないＦＰＣを屈曲した上面視Ｌ字状にして、液晶モジュール22を固定させる機構を収容ボックス61の横方向にスライドさせて移動させてスライド可能とするとともに、ＬＣＤ製品別回路基板41の大きさを幅４０ｍｍ×奥行き５０ｍｍとし、ＬＥＤ点灯回路基板51を大きさを幅４０ｍｍ×奥行き４０ｍｍとすることによって、１つのサイズの動画評価セット21で対角１．８型から対角２．２型までの画面サイズの異なる液晶モジュール22に対応させることができる。
【００５２】
このとき、この液晶モジュール22を、ＬＥＤ点灯回路基板51の一側に設けたため、このＬＥＤ点灯回路基板51と液晶モジュール22との間は電気的に接続されない。したがって、これらＬＥＤ点灯回路基板51と液晶モジュール22との間を狭くできるので、この液晶モジュール22をＬＣＤ製品別回路基板41の一側に設ける場合に比べ、この液晶モジュール22の一側と収容ボックス61の一側縁との間の間隔をより大きくできるから、より大きな画面サイズの液晶モジュール22に対応できる。
【００５３】
さらに、収容ボックス61の上面上には、矩形平板状の透光性を有するアクリル板62が間隙を介して取り付けられている。このアクリル板62は、収容ボックス61の上面に等しい矩形状に形成されている。よって、このアクリル板62は、収容ボックス61上に搭載されたＬＣＤ製品別回路基板41およびＬＥＤ点灯回路基板51および液晶モジュール22のそれぞれを覆っている。
【００５４】
また、図７に示す第４の実施の形態のように、信号源24にインターネット用の撮影手段としてのカメラ63を取り付けることにより、このカメラ63にて撮影した映像を、動画評価セット21にて液晶モジュール22に表示させることができるので、この液晶モジュール22の開発初期段階で、この液晶モジュール22のカメラ映像表示を評価できる。
【００５５】
さらに、図８ないし図１２に示す第５の実施の形態のように、メインモジュール22aと、このメインモジュール22aよりも小型の第２の液晶表示部であるサブモジュール71とのそれぞれの動画を評価する動画評価セット１とすることもできる。ここで、このサブモジュール71は、図９および図１０に示すように、メインモジュール22aの裏面側に配設されており、このメインモジュール22aとともに液晶モジュール22を構成する。そして、このサブモジュール71は、平面表示パネルとしての対角０．９型から１．２型までの大きさの矩形平板状の液晶パネル72を備えている。この液晶パネル72は、メインモジュール22aの液晶パネル23より小型であるが、この液晶パネル23と同様に構成されている。
【００５６】
そして、動画評価セット１のＦＰＧＡ28は、信号源24から入力されたデジタルインターフェイス信号を、メインモジュール22aおよびサブモジュール71のそれぞれに必要なＣＰＵインターフェイス信号に変換する回路機能を有している。さらに、この動画評価セット１のＬＣＤ製品別回路基板41には、先端側が二股に分かれた構成のフレキシブルプリント基板(Flexible Printed Circuit:ＦＰＣ)である第１のＦＰＣ73の基端側が接続されている。ここで、この第１のＦＰＣ73としては、この第１のＦＰＣをＦＦＣ(フレキシブルフラットケーブル:Flexible flat cable)にて構成することもできる。
【００５７】
さらに、この第１のＦＰＣ73の基端側は、ＬＣＤ製品別回路基板41のコネクタ43に接続されている。また、この第１のＦＰＣ73の二股に分かれた一方での分岐片73aの先端側は、メインモジュール22aに接続されている。さらに、この第１のＦＰＣ73の二股に分かれた他方の分岐片73bの先端側は、サブモジュール71に電気的に接続されている。そして、図１２に示すように、この第１のＦＰＣ73の一方の分岐片73aは、この第１のＦＰＣ73の基端側から直角に屈曲している。さらに、この第１のＦＰＣ73の他方の分岐片73bはこの第１のＦＰＣ73の基端側から一方の分岐片73aが屈曲した部分より直線状に突出した後に、この一方の分岐片73aの屈曲方向に向けて直角に屈曲している。そして、この他方の分岐片73bよりも一方の分岐片73aが突出しており、この一方の分岐片73aの側方にサブモジュール71が設置される。
【００５８】
また、ＬＥＤ点灯回路基板51上には、第２のＬＥＤ点灯回路74が実装されて配置されている。この第２のＬＥＤ点灯回路74には、データ変換回路基板27の電源回路29にて電圧が変換された電力が、スカジーケーブル32、第１のＦＦＣ36、ピッチ変換回路基板33および第３のＦＦＣ46のそれぞれを介して入力される。また、この第２のＬＥＤ点灯回路74は、第１のＬＥＤ点灯回路であるＬＥＤ点灯回路53と同様に構成されており、この第２のＬＥＤ点灯回路74へと入力した電力をサブモジュール71の各発光ダイオードを点灯させるＬＥＤ点灯用電圧に変換する。
【００５９】
さらに、この第２のＬＥＤ点灯回路74は、この第２のＬＥＤ点灯回路74にてＬＥＤ点灯用電圧に変換された電力が、第３のＦＦＣ46、ＬＣＤ製品別回路基板41および第１のＦＰＣ73を介してサブモジュール71へと入力されて、このサブモジュール71の各発光ダイオードを点灯させて、このサブモジュール71に表示される画像、すなわち動画を視認可能にする機能を有している。したがって、このＬＥＤ点灯回路基板51は、ＬＥＤ点灯回路53および第２のＬＥＤ点灯回路74によって、メインモジュール22aおよびサブモジュール71それぞれの各発光ダイオードを点灯させて、これら各発光ダイオードにて構成されたバックライト25,77を点灯できる２系統のＬＥＤ点灯電圧を出力させる。
【００６０】
そして、ＬＣＤ製品別回路基板41は、第１のＦＰＣ73を介してメインモジュール22aおよびサブモジュール71のそれぞれにＣＰＵインターフェイス信号および入力電源を供給する。さらに、このＬＣＤ製品別回路基板41は、ＬＥＤ点灯回路基板51上のＬＥＤ点灯回路53および第２のＬＥＤ点灯回路74から第３のＦＦＣ46を介して供給されるＬＥＤ点灯用電源のそれぞれを第１のＦＰＣ73を介してメインモジュール22aおよびサブモジュール71のそれぞれに供給する。
【００６１】
具体的に、このＬＣＤ製品別回路基板41は、メインモジュール22aおよびサブモジュール71に入力させるＣＰＵインターフェイス信号のうち、データ(ＤＡＴＡ)信号、ライト(ＷＲ)信号、リード(ＲＤ)信号およびリセット(ＲＳＴ)信号のそれぞれについてはメインモジュール22aおよびサブモジュール71のそれぞれに対応するように共用させている。さらに、このＬＣＤ製品別回路基板41は、メインモジュール22aおよびサブモジュール71に入力させるＣＰＵインターフェイス信号のうち、チップセレクト(ＣＳ)信号のみについてはメインモジュール22aおよびサブモジュール71に対応するように変換させてから、これらメインモジュール22aおよびサブモジュール71に分けて入力させる。
【００６２】
そして、このＬＣＤ製品別回路基板41上には、切替手段としてのスライドスイッチ75が実装されて配置されている。このスライドスイッチ75は、切り替えによってメインモジュール22aおよびサブモジュール71の少なくともいずれかに画像を表示させる。そして、このスライドスイッチ75は、ＬＣＤ製品別回路基板41にてメインモジュール22aにＣＳ信号であるＣＳ１信号を供給させるＣＳ１信号ライン75a上と、このＬＣＤ製品別回路基板41にてサブモジュール71にＣＳ信号であるＣＳ２信号を供給させるＣＳ２信号ライン75b上との間に接続されている。
【００６３】
すなわち、このスライドスイッチ75は、図１１に示すように、このスライドスイッチ75の切替操作によるスイッチ位置によって、ＣＳ１信号のみを接続させて、このＣＳ１信号をメインモジュール22aに供給させる第１のスイッチ75cを備えている。したがって、このスライドスイッチ75は、第１のスイッチ75cをオンした第１のモードによって、ＣＳ１信号を液晶モジュール22に供給させて、このメインモジュール22aのみに動画を表示させる。具体的に、この第１のスイッチ75cは、メインモジュール22aにＣＳ１信号を供給するための信号供給配線であるＣＳ１信号ライン75aに取り付けられている。ここで、このＣＳ１信号ライン75aは、一端がメインモジュール22aに接続され、他端がＦＰＧＡ28に接続されている。
【００６４】
このとき、このＣＳ１信号以外のＣＰＵインターフェイス信号は、一端がメインモジュール22aおよびサブモジュール71のそれぞれに接続され、他端がＦＰＧＡ28に接続された信号供給配線としての信号ライン75dによって、ＬＣＤ製品別回路基板41から液晶モジュール22へと有効に供給される。したがって、スライドスイッチ75は、第１のスイッチ75cをオンするスライドスイッチ75の切替操作によってメインモジュール22aに動画を表示させる。
【００６５】
また、このスライドスイッチ75は、このスライドスイッチ75の切替操作によるスイッチ位置によって、ＣＳ２信号のみを接続させて、このＣＳ２信号をサブモジュール71に供給させる第２のスイッチ75eを備えている。したがって、このスライドスイッチ75は、第２のスイッチ75eをオンした第２のモードによって、ＣＳ２信号をサブモジュール71に供給させて、このサブモジュール71のみに動画を表示させる。具体的に、この第２のスイッチ75eは、サブモジュール71にＣＳ２信号を供給するための信号供給配線であるＣＳ２信号ライン75bに取り付けられている。ここで、このＣＳ2信号ライン75bは、一端がサブモジュール71に接続され、他端がＦＰＧＡ28に接続されている。また、このＣＳ2信号ライン75bは、ＣＳ１信号ライン75aに対して並列に設置されて配設されている。
【００６６】
このとき、このＣＳ２信号以外のＣＰＵインターフェイス信号もまた、信号ライン75dによってＬＣＤ製品別回路基板41からサブモジュール71へと有効に供給される。したがって、スライドスイッチ75は、第２のスイッチ75eをオンするスライドスイッチ75の切替操作によってサブモジュール71に動画を表示させる。ここで、第２のスイッチ75eは、第１のスイッチ75cに対して並列に設けられている。したがって、この第２のスイッチ75eを含むＣＳ2信号ライン75bにて構成された直流回路は、第１のスイッチ75cを含むＣＳ１信号ライン75aにて構成された直流回路に対して並列に設置された並列回路として構成されている。
【００６７】
さらに、このスライドスイッチ75は、このスライドスイッチ75の切替操作によるスイッチ位置によって、第１のスイッチ75cおよび第２のスイッチ75eのそれぞれをオンの状態にする第３のモードにして、メインモジュール22aおよびサブモジュール71のそれぞれに動画を表示させる。すなわち、この第３のモードは、スライドスイッチ75のスイッチ位置を第３のモードに切替操作することによって、ＣＳ１信号およびＣＳ２信号のそれぞれとともに、他のインターフェイス信号がメインモジュール22aおよびサブモジュール71に供給させるので、これらメインモジュール22aおよびサブモジュール71に同時に画像を表示させる。
【００６８】
ここで、ＬＣＤ製品別回路基板41は、ＣＳ１信号およびＣＳ２信号以外のインターフェイス信号である、ＤＡＴＡ信号、ＷＲ信号、ＲＤ信号およびＲＳＴ信号についてメインモジュール22aおよびサブモジュール71に対して共用させている。すなわち、このＬＣＤ製品別回路基板41は、メインモジュール22a用およびサブモジュール71用のＤＡＴＡ信号、ＷＲ信号、ＲＤ信号およびＲＳＴ信号のそれぞれを所定のサイクルで交互に切り替えるように構成されている。したがって、このＬＣＤ製品別回路基板41は、スライドスイッチ75を第３のモードに設定することにより、メインモジュール22aおよびサブモジュール71の表示切替を交互に順番に切り替える。
【００６９】
一方、収容ボックス61の幅方向における他側には、この収容ボックス61の他側を上下方向に向けてスライド移動可能にさせるスライド機構76が設けられている。このスライド機構76は、収容ボックス61の幅方向における他側を、この収容ボックス61の幅方向における一側に対して上下動させて、この収容ボックス61を角度調整することによって、メインモジュール22aおよびサブモジュール71に表示される動画の画質評価を容易にさせる。
【００７０】
上述したように、上記第５の実施の形態によれば、信号源24からＰＣカードパス出力を用いることによって、デジタルインターフェイス信号の転送スピードが大幅に向上し、１５フレームから３０フレームでメインモジュール22aおよびサブモジュール71のそれぞれに動画映像を表示できるので、上記第１の実施の形態と同様の作用効果を奏することができる。
【００７１】
ここで、データ変換回路基板27上のＦＰＧＡ28から出力されるＣＰＵインターフェイス信号(ＤＡＴＡ信号、ＣＳ信号、ＷＲ信号、ＲＤ信号およびＲＳＴ信号)が１系統しか出力されない場合には、片面のみ画像を表示させるメインモジュール22aしか対応して動画評価ができない。また、ＬＥＤ点灯回路基板51上のＬＥＤ点灯回路53から出力されるＬＥＤ点灯電圧が１系統しか出力されない場合には、メインモジュール22aのバックライト25としても１つしか点灯させることができない。
【００７２】
そこで、スライドスイッチ75の切替操作によって、第１のスイッチ75cをオン状態してメインモジュール22aのみに動画を表示させる第１のモードと、第２のスイッチ75eをオン状態にしてサブモジュール71のみに動画を表示させる第２のモードと、第１のスイッチ75cおよび第２のスイッチ75eのそれぞれを同時にオン状態にしてメインモジュール22aおよびサブモジュール71のそれぞれに同時に動画を表示させる第３のモードとのいずれかを適宜選択できる構成とした。この結果、表側にメインモジュール22aが取り付けられ裏側にサブモジュール71が取り付けられる携帯電話機の表示部として、これらメインモジュール22aおよびサブモジュール71を用いる場合であっても、これらメインモジュール22aおよびサブモジュール71の動画検査を同時にできる。
【００７３】
このとき、ＬＣＤ製品別回路基板41によってメインモジュール22aおよびサブモジュール71に入力させるＣＰＵインターフェイス信号のうちのＣＳ信号のみについてメインモジュール22aおよびサブモジュール71に対応するように分かれて入力させるように構成させた。このため、これらメインモジュール22aおよびサブモジュール71に対応したＣＰＵインターフェイス信号の変換が容易にできるとともに、スライドスイッチ75にてＣＳ信号のみを制御すればよいので、このスライドスイッチ75の構成を簡略化できる。
【００７４】
また、メインモジュール22aとＬＣＤ製品別回路基板41との間である収容ボックス61の表面上の角部にサブモジュール71を配置して設置させた。この結果、動画評価セット21を、例えば奥行き１００ｍｍ×幅１５０ｍｍ×高さ６５ｍｍの大きさに収めることができるから、この動画評価セット21をより小型化でき、携帯性を向上できる。
【００７５】
さらに、図１３および図１４に示す第６の実施の形態のように、収容ボックス61におけるメインモジュール22aの収容部分を、この収容ボックス61の幅方向に沿ってスライド可能に構成することもできる。このとき、この収容ボックス61は、メインモジュール22aの表面を上側に向けた状態で設置させる。さらに、この収容ボックス61は、メインモジュール22aを横スライドさせて、この収容ボックス61上に固定されるように構成されている。このとき、この収容ボックス61におけるメインモジュール22aが固定される部分の下には、サブモジュール71を固定させる断面Ｌ字状のサブモジュール固定台81が重ねたれた状態で取り付けられている。
【００７６】
このサブモジュール固定台81は、サブモジュール71が載置されて固定される矩形平板状の本体部82を備えている。この本体部82の幅方向に沿った一側縁には、この一側縁から下方に向けて突出した細長く経平板状の固定片83が一体的に取り付けられている。この固定片83は、本体部82の長手方向に沿って取り付けられており、収容ボックス61の表面の幅方向に沿った他側に設置されている。したがって、サブモジュール固定台81は、メインモジュール22aの下方に、表面を上側に向けた状態でサブモジュール71が対向して重積されて設置させる。
【００７７】
この結果、サブモジュール固定台81にてサブモジュール71をメインモジュール22aの下方に設置させるとともに、このメインモジュール22aを横スライド可能に構成した。この結果、メインモジュール22aおよびサブモジュール71のそれぞれを破壊などすることなく、これらメインモジュール22aおよびサブモジュール71とともに動画評価セット21を搬送することが可能となる。
【００７８】
なお、上記第５および第６の実施の形態では、メインモジュール22aおよびサブモジュール71の計２個の液晶表示部を備えた液晶モジュール22について説明したが、２個以上、すなわち複数の液晶表示部を備えた液晶モジュール22であっても対応させて用いることができる。
【図面の簡単な説明】
【００７９】
【図１】本発明の液晶表示装置の評価装置の第１の実施の形態を示す説明図である。
【図２】同上液晶表示装置の表面側を示す説明斜視図である。
【図３】同上液晶表示装置の裏面側を示す説明斜視図である。
【図４】本発明の第２の実施の形態の液晶表示装置の評価装置を示す説明斜視図である。
【図５】本発明の第３の実施の形態の液晶表示装置の評価装置を示す説明図である。
【図６】同上液晶表示装置の評価装置を示す説明側面図である。
【図７】本発明の第４の実施の形態の液晶表示装置の評価装置を示す説明斜視図である。
【図８】本発明の第５の実施の形態の液晶表示装置の評価装置を示す説明図である。
【図９】同上液晶表示装置の表面側を示す説明斜視図である。
【図１０】同上液晶表示装置の裏面側を示す説明斜視図である。
【図１１】同上液晶表示装置の評価装置の一部を示す説明図である。
【図１２】同上液晶表示装置の評価装置を示す説明斜視図である。
【図１３】本発明の第６の実施の形態の液晶表示装置の評価装置を示す説明図である。
【図１４】同上液晶表示装置の評価装置を示す説明側面図である。
【図１５】従来の液晶表示装置の評価装置を示す説明図である。
【符号の説明】
【００８０】
21    液晶表示装置の評価装置としての動画評価セット
22    液晶表示装置としての液晶モジュール
22a    第１の液晶表示部としてのメインモジュール
24    信号源
26    カードバスとしてのＰＣカード
27    データ変換回路としてのデータ変換回路基板
29    電源回路
33    ピッチ変換回路としてのピッチ変換回路基板
41    装置別回路としての装置別回路基板であるＬＣＤ製品別回路基板
51    光源点灯回路としての光源点灯回路基板であるＬＥＤ点灯回路基板
71    第２の液晶表示部としてのサブモジュール
75    切替手段としてのスライドスイッチ
【図１】
2005128477.tif 000003
【図２】
2005128477.tif 000004
【図３】
2005128477.tif 000005
【図４】
2005128477.tif 000006
【図５】
2005128477.tif 000007
【図６】
2005128477.tif 000008
【図７】
2005128477.tif 000009
【図８】
2005128477.tif 000010
【図９】
2005128477.tif 000011
【図１０】
2005128477.tif 000012
【図１１】
2005128477.tif 000013
【図１２】
2005128477.tif 000014
【図１３】
2005128477.tif 000015
【図１４】
2005128477.tif 000016
【図１５】
2005128477.tif 000017